(57)【要約】【課題】  高精度のプロファイルを作成する場合であっても、プロファイルの生成回数を１回のみで済ませることができるプロファイル作成方法および装置を提供する。【解決手段】  印刷機器に対するカラーマッチングのためのプロファイルを作成する方法であって、任意のプロファイル調整時における色調整を再現するためのパラメータを保存し、新規にプロファイルを作成する際に前記保存されたパラメータを利用して、プロファイル調整されたプロファイルを作成可能とした。【選択図】  図４
2007043415.tif 000002
【特許請求の範囲】
【請求項１】
印刷機器に対するカラーマッチングのためのプロファイルを作成する方法であって、
任意のプロファイル調整時における色調整を再現するためのパラメータを保存し、新規にプロファイルを作成する際に前記保存されたパラメータを利用して、プロファイル調整されたプロファイルを作成可能としたこと特徴とするプロファイル作成方法。
【請求項２】
印刷機器に対するカラーマッチングのためのプロファイルを作成する装置であって、
任意のプロファイル調整時における色調整を再現するためのパラメータを保存する手段と、
新規にプロファイルを作成する際に前記保存されたパラメータを利用して、プロファイル調整されたプロファイルを作成可能とする手段とを備えること特徴とするプロファイル作成装置。
【請求項３】
印刷機器に対するカラーマッチングのためのプロファイルを作成するためのコンピュータ実行可能なプログラムであって、
任意のプロファイル調整時における色調整を再現するためのパラメータを保存するステップと、
新規にプロファイルを作成する際に前記保存されたパラメータを利用して、プロファイル調整されたプロファイルを作成可能とするステップとを備えること特徴とするプロファイル作成プログラム。
【請求項４】
請求項３に記載のプログラムを記録したコンピュータ読み取り可能な媒体。
【発明の詳細な説明】
【技術分野】
【０００１】
本発明は、プリンタ／印刷機等のデバイスに対するプロファイルの作成方法に関する。
【背景技術】
【０００２】
従来より、各入出力デバイスに対する特性を記述したデバイス・プロファイル（以下、プロファイル）を用いてカラーマッチングを行い、色管理を行なうことが行われている（例えば、特許文献１，２）。
【０００３】
従来の、プロファイルを用いたカラーマッチングの概要は以下のとおりである。
【０００４】
ＲＧＢやＣＭＹＫ等のソース・デバイスに依存した色空間の入力データは、入力プロファイルによりデバイスに依存しない色空間のＸＹＺデータやＬａｂデータに変換される。出力デバイスの色再現範囲外の色は出力デバイスにより表現することができないため、そのすべて色が出力デバイスの色再現範囲内に収まるように、変換された入力データに対して色空間圧縮が施される。そして、色空間圧縮が施された後、入力データはデバイスに依存しない色空間から、出力デバイスに依存したＲＧＢやＣＭＹＫ等の色空間へ変換される（こうした出力デバイスに依存する色空間への変換は出力デバイスのプロファイルを用いる）。そして、十分な精度が得られない場合や、プロファイルがデバイス特性に合わなくなってきた場合には、プロファイルの色調整が必要となるので、さらにプロファイル調整が行われる。
【０００５】
以上のようなカラーマッチングの精度を上げるには、プリンタ／印刷機などのデバイスに対する高精度のプロファイルを作成するする必要がある。そのために、プロファイル作成と、その後微妙な調整を行うプロファイル調整という２段階の処理を行っていた。そしてこのプロファイル作成とプロファイル調整は別々の手段として独立に存在していた。
【０００６】
【特許文献１】特開２００３−１２５２２３号公報
【特許文献２】特開２００３−８７５８９号公報
【発明の開示】
【発明が解決しようとする課題】
【０００７】
従来の手法では、同じプリンタ／印刷機に対し高精度なプロファイルを作成する必要があるとき、プロファイル作成時にプロファイルを一度生成し、さらにプロファイル調整時に変換テーブルを調整してもう一度プロファイルを生成しなおすというようにプロファイルの生成処理を２回行わなければならない。また同じプリンタ／印刷機で、何度も同様なプロファイルを作成するときは、このような作業を何度も繰り返さなければならず多くの手間がかかっていた。このようなことから、特許文献２にあるようにプロファイル調整時のヒストリを残しておき、次にプロファイル調整を行うときにそのヒストリを呼び出して利用するという方法もとることができるが、この方法はプロファイル調整時の処理上で考えられているもので、プロファイルを２回生成しなければならないことに変わりはない。
【０００８】
本発明は、以上の点に鑑みなされたもので、高精度のプロファイルを作成する場合であっても、プロファイルの生成回数を１回のみで済ませることができるプロファイル作成方法および装置、ならびにそのプログラムおよびコンピュータ読み取り可能な記録媒体を提供するものである。
【課題を解決するための手段】
【０００９】
上記目的を達成するため、請求項１に記載の発明は、印刷機器に対するカラーマッチングのためのプロファイルを作成する方法であって、任意のプロファイル調整時における色調整を再現するためのパラメータを保存し、新規にプロファイルを作成する際に前記保存されたパラメータを利用して、プロファイル調整されたプロファイルを作成可能としたこと特徴とする。
【００１０】
また、請求項２に記載の発明は、印刷機器に対するカラーマッチングのためのプロファイルを作成する装置であって、任意のプロファイル調整時における色調整を再現するためのパラメータを保存する手段と、新規にプロファイルを作成する際に前記保存されたパラメータを利用して、プロファイル調整されたプロファイルを作成可能とする手段とを備えること特徴とする。
【００１１】
また、請求項３に記載の発明は、印刷機器に対するカラーマッチングのためのプロファイルを作成するためのコンピュータ実行可能なプログラムであって、任意のプロファイル調整時における色調整を再現するためのパラメータを保存するステップと、新規にプロファイルを作成する際に前記保存されたパラメータを利用して、プロファイル調整されたプロファイルを作成可能とするステップとを備えること特徴とする。
【００１２】
また、請求項４に記載の発明は、請求項３に記載のプログラムを記録したコンピュータ読み取り可能な媒体である。
【発明の効果】
【００１３】
本発明によれば、先に調整されたプロファイルの情報を利用して高精度のプロファイルを生成でき、したがって、次回以降のプロファイル作成時には、プロファイル調整を省け、高精度のプロファイルを作成する場合であっても、プロファイルの生成回数を１回のみで済ませることができる。
【発明を実施するための最良の形態】
【００１４】
以下に本発明の一実施形態を、図面を参照しながら詳細に説明する。  
はじめに、一般的なプロファイルの作成および作成されたプロファイルの調整についてその概要を説明する。
【００１５】
図１は高精度なプロファイルを作成するときの一般的なフローを示す。  
図１に示すように、プロファイル作成部１０１でプロファイル１０２を作成し、作成されたプロファイル１０２を、プロファイル調整部１０３へ入力する。プロファイル調整部１０３は、入力されたプロファイルに対しプロファイル調整を行い、最終的に高精度なプロファイル１０４を作成する。
【００１６】
なお、プロファイルはデバイスの特性を記述するものであり、デバイス依存のデータとデバイス非依存のデータの関係を記述するものである。本実施形態では、プロファイルとして、ＩＣＣ（Ｉｎｔｅｒｎａｔｉｏｎａｌ  Ｃｏｌｏｒ  Ｃｏｎｓｏｒｔｉｕｍ）で決められたフォーマットに準拠したＩＣＣプロファイルを使用することができる。このＩＣＣプロファイルには、デバイス依存のデータをデバイス非依存のデータであるＰＣＳ（ｐｒｏｆｉｌｅｃｏｎｎｅｃｔｉｏｎ  ｓｐａｃｅ）データに変換するためのデータであるＡ２Ｂ、ＰＣＳデータをデバイス依存のデータに変換するためのデータであるＢ２Ａ、そしてデバイスの色再現範囲情報（ｇａｍｕｔｔａｇ）などが含まれる。
【００１７】
図２は、出力デバイスがプリンタ／印刷機である場合の、図１のプロファイル作成部１０１の詳細である。スキャナ、デジカメ、モニタ等のデバイス用のプロファイルを作成する場合のフローは図２に当てはまらないが、このようなプリンタ／印刷機以外のデバイスのプロファイル作成の処理も、図１のプロファイル作成部１０１により行うことができる。
【００１８】
ここで図２の詳細を説明する。  
チャート転送部２０１により指定されたチャートデータをチャート出力部２０２へ転送する。チャート出力部２０２は、転送されてきたチャートデータを基にカラーチャートを出力する。このチャート出力部２０２から出力されたカラーチャートは、チャート測色部２０３で測色される。このチャート測色部２０３で測色された測色データを基にプロファイル生成部２０４が上記プロファイルを生成する。
【００１９】
なお、一般的に、チャート転送部２０１はプロファイル作成ソフトウェアであり、チャート出力部２０２はプロファイルの作成を目的としているプリンタ／印刷機であり、チャート測色部２０３はチャート出力部２０２より出力されたカラーチャートの分光分布を測色するための機器であり、プロファイル生成部２０４はプロファイル作成ソフトウェアであることが多い。
【００２０】
図３は、図１のプロファイル調整部の詳細である。  
プロファイル入力部３０１より調整対象のプロファイルを入力し、色調整部３０２でプロファイルの変換テーブルを調整し、３０３に示すプロファイル生成部で調整された高精度なプロファイルを生成する。  
以上、一般的なプロファイル作成およびプロファイル調整について説明した。
【００２１】
次ぎに、本発明による実施形態について説明する。  
図４、図５が本発明による実施形態を説明する図である。
【００２２】
図４では、図３の一般的なプロファイル調整フローに、色調整パラメータ保存部４０３を付加している。色調整パラメータ保存部４０３は、図３における色調整部３０２の後の処理でありプロファイル生成部３０３の前の処理である。色調整パラメータ保存部４０３では色調整部４０２で行った色調整の動作（変換テーブルの調整）を色調整パラメータとして記憶する（このパラメータは先に行われた色調整を再現するために後で利用される）。このときのユーザ・インターフェイスが図６であり、色調整後、６０１の「色調整パラメータ保存」ボタンで色調整パラメータを保存する。このときの色調整パラメータはプロファイルの変換テーブルの調整のみに限らず、プロファイルを調整するためのものであれば任意である。
【００２３】
図５では、図２の一般的なプロファイル作成フローに、色調整パラメータ入力部５０５を付加している。色調整パラメータ入力部５０５は、図４における色調整パラメータ保存部４０３で保存された色調整パラメータを、図５のプロファイル生成部５０４に入力する。プロファイル生成部５０４ではチャート測色部５０３で測色された測色データ及び色調整パラメータ入力部５０５より入力される色調整パラメータよりプロファイルを生成する。このときのユーザ・インターフェイスが図７であり、図７の７０１「色調整パラメータをインポートしてプロファイルを作成」ボタンで色調整パラメータをインポートしてプロファイルを生成する。
【００２４】
以上のようにして、一度プロファイル調整がなされ、色調整パラメータ保存部により色調整の動作がパラメータとして記憶されると、次回のプロファイル作成時には、色調整パラメータ入力部によりこのパラメータをインポートすることができ、プロファイル生成部により色調整された高精度のプロファイルが作成されることとなる。したがって、従来のように、高精度のプロファイルを生成するために、２回プロファイルを作成する必要がなく１回のみで済む。
【００２５】
（他の実施形態）
前述した実施の形態の機能を実現する様に各種のデバイスを動作させる様に該各種デバイスと接続された装置あるいはシステム内のコンピュータに、前記実施の形態の機能を実現するためのソフトウェアのプログラムコードを供給し、そのシステムあるいは装置のコンピュータ（ＣＰＵあるいはＭＰＵ）を格納されたプログラムに従って前記各種デバイスを動作させることによって実施したものも本発明の範疇に含まれる。
【００２６】
この場合、上記ソフトウェアのプログラムコード自体が前述した実施の形態の機能を実現することになり、そのプログラムコード自体、及びそのプログラムコードをコンピュータに供給するための手段、例えばかかるプログラムコードを格納した記憶媒体は本発明を構成する。
【００２７】
かかるプログラムコードを格納する記憶媒体としては例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００２８】
またコンピュータが供給されたプログラムコードを実行することにより、前述の実施形態の機能が実現されるだけではなく、そのプログラムコードがコンピュータにおいて稼働しているＯＳ（オペレーティングシステム）、あるいは他のアプリケーションソフト等と共同して前述の実施形態の機能が実現される場合にもかかるプログラムコードは本発明の実施形態に含まれることは言うまでもない。
【００２９】
さらに供給されたプログラムコードが、コンピュータの機能拡張ボードやコンピュータに接続された機能拡張ユニットに備わるメモリに格納された後そのプログラムコードの指示に基づいてその機能拡張ボードや機能格納ユニットに備わるＣＰＵ等が実際の処理の一部または全部を行い、その処理によって前述した実施形態の機能が実現される場合も本発明に含まれることは言うまでもない。
【図面の簡単な説明】
【００３０】
【図１】高精度なプロファイルを作成するときの一般的なフローを示す図である。
【図２】図１のプロファイル作成部１０１の詳細を示す図である。
【図３】図１のプロファイル調整部１０３の詳細を示す図である。
【図４】本発明による図１のプロファイル調整部１０３の詳細を示す図である。
【図５】本発明による図１のプロファイル調整部１０１の詳細を示す図である。
【図６】本発明における図４の色調整パラメータ保存部４０３のユーザ・インターフェイスを示す図である。
【図７】本発明における図５の色調整パラメータ入力部５０５のユーザ・インターフェイスを示す図である。
【符号の説明】
【００３１】
１０１…プロファイル作成部
１０２，１０４…プロファイル
１０３…プロファイル調整部
２０１，５０１…チャートデータ転送部
２０２，５０２…チャート出力部
２０３，５０３…チャート測色部
２０４，３０３，４０４，５０４…プロファイル生成部
３０１，４０１…プロファイル入力部
３０２，４０２…色調整部
４０３…色調整パラメータ保存部
５０５…色調整パラメータ入力部
【図１】
2007043415.tif 000003
【図２】
2007043415.tif 000004
【図３】
2007043415.tif 000005
【図４】
2007043415.tif 000006
【図５】
2007043415.tif 000007
【図６】
2007043415.tif 000008
【図７】
2007043415.tif 000009